(57)【要約】【課題】  物品の落下および飛び出しを防止する部材が重量の大きい物品であっても確実に落下の防止が可能な落下防止装置を提供することである。【解決手段】  本発明の落下物防止装置１０は、収納開口８６を横断する落下防止位置と、収納開口８６を全面的に開放する退避位置とに位置変更可能な左右方向に横長の落下防止杆７０と、落下防止杆７０が架け渡される回動可能な一方の支持腕部４０ａと他方の支持腕部４０ｂと、前側支柱８２ａに着脱可能に取り付けられる一方の取付具２０ａと前側支柱８２ｂに着脱可能に取り付けられる他方の取付具２０ｂと、を具備している【選択図】図３
2011115579.tif 000002
【特許請求の範囲】
【請求項１】
複数の支柱と、該複数の支柱間に架け渡される棚板とからなる収納棚の収納開口に配置される落下防止装置であって、
前記収納開口を横断する落下防止位置と前記収納開口を全面的に開放する退避位置とに位置変更可能な落下防止杆と、
前記落下防止杆が架け渡される、回動可能な一方の支持腕部と他方の支持腕部と、
前記支柱に着脱可能に取り付けられる一方の取付具と他方の取付具と、
を具備し、
前記一方の支持腕部と前記他方の支持腕部とは、各々、椀部と、その軸方向と平行な一方向の側へ向かって突設される突軸部と、前記突軸部から所定距離離間した位置に設けられる係止部、とを備え、
前記一方の取付具と前記他方の取付具とは、各々、基部と、前記基部に立設され、前記突軸部が挿通される一方の軸受け部と他方の軸受け部と、前記軸受け部から所定距離離間した位置に立設される係止受け部と、を備え、
前記一方の支持腕部は、前記腕部が前記一方の取付具の前記一方の軸受け部と前記他方の軸受け部との間に配置され、前記突軸部が該他方の軸受け部に前記突軸部の軸方向と平行な一方向の側へ向かって回動可能に挿通され、
前記他方の支持腕部は、前記突軸部が前記他方の取付具の前記一方の軸受け部に一方向の側へ向かって回動可能に挿通され、
前記落下防止杆の退避位置から落下防止位置への位置変更による前記支持腕部の回動により、前記係止部が前記係止受け部に係止されることを特徴とする落下防止装置。
【請求項２】
前記一方の取付具は、該一方の取付具の前記一方の軸受け部と前記他方の軸受け部との間にコイルバネを備え、前記一方の支持椀部が該コイルバネにより前記突軸部の軸方向と平行な一方向の側へ付勢されていることを特徴とする請求項１に記載の落下防止装置。
【請求項３】
前記一方の取付具と前記他方の取付具とに各々立設される前記係止受け部は、前記突軸部の軸方向と平行な他方向へ傾斜する傾斜部と該傾斜部の頂上近傍に設けられた突起部とを有し、前記一方の支持腕部と前記他方の支持腕部とに各々設けられる係止部は、前記傾斜部で摺動する摺動部と前記突起部が係止される突起受け部とを有し、
前記摺動部が前記一方の支持腕部と前記他方の支持腕部の回動に伴い前記傾斜部を摺動することにより、前記一方の支持腕部が、前記コイルバネの付勢力に抗して、前記突軸部の軸方向と平行な他方向の側へ移動することで、前記突起受け部が前記突起部へ係止されることを特徴とする請求項２に記載の落下防止装置。
【請求項４】
前記一方の取付具は、前記係止受け部とは別の係止受け具をさらに備えると共に、前記一方の支持腕部とは別の支持椀部をさらに備えることを特徴とする請求項１乃至請求項３に記載の落下物防止装置。
【請求項５】
前記一方の取付具は、前記係止部が前記係止受け部に係止されている状態で、前記一方の支持腕部を前記支柱から離間する方向へ付勢する外れ防止具を備えることを特徴とする請求項１乃至請求項４に記載の落下防止装置。
【請求項６】
複数の支柱と、該複数の支柱間に架け渡される棚板とからなる収納棚の収納開口に配置される落下防止装置であって、
前記収納開口を横断する落下防止位置と前記収納開口を全面的に開放する退避位置とに位置変更可能な落下防止杆と、前記落下防止杆が架け渡される、回動可能な第１の支持腕部と第２の支持腕部と、前記支柱に着脱可能に取り付けられる第１の取付具と第２の取付具と、を具備することを特徴とする落下防止装置。
【請求項７】
前記第１の支持腕部は、第１の腕部と、前記第１の腕部の一方面となる面に対して垂直であって、その軸方向と平行な一方向の側に向かって突設される第１の突軸部とを備え、
前記第２の支持腕部は、第２の腕部と、前記第２の腕部の一方面となる面に対して垂直であって、その軸方向と平行な一方向の側に向かって突設される第２の突軸部とを備え、
前記第１の取付具は、第１の基部と、前記第１の基部に立設され、前記第１の突軸部が挿通される第１の挿入穴を有する第１の軸受け部とを備え、
前記第２の取付具は、第２の基部と、前記第２の基部に立設され、前記第２の突軸部が挿通される第２の挿入穴を有する第２の軸受け部とを備え、
前記第１の腕部と前記第２の腕部が対応する前記第１の軸受け部と前記第２の軸受け部に対して同じ側に配置され、前記第１の突軸部と前記第２の突軸部が対応する前記第１の挿入穴と前記第２の挿入穴へ挿通され、前記第１の支持腕部と前記第２の支持腕部が前記第１の突軸部と前記第２の突軸部の軸中心に回動可能かつ軸方向と平行な他方向の側に移動可能である、
ことを特徴とする請求項６に記載の落下防止装置。
【請求項８】
前記第１の突軸部と前記第２の突軸部のいずれか一方または両方に、前記第１の支持腕部と前記第２の支持腕部が前記第１の突軸部と前記第２の突軸部の軸方向での移動を規制する規制手段を備えることを特徴とする請求項７に記載の落下防止装置。
【請求項９】
前記第１の支持腕部は、前記第１の突軸部から所定距離離間した位置に設けられる第１の係止部をさらに備え、
前記第２の支持腕部は、前記第２の突軸部から所定距離離間した位置に設けられる第２の係止部をさらに備え、
前記第１の取付具は、前記第１の軸受け部から所定距離離間した位置に立設される第１の係止受け部をさらに備え、
前記第２の取付具は、前記第２の軸受け部から所定距離離間した位置に立設される第２の係止受け部をさらに備え、
前記落下防止杆の退避位置から落下防止位置への位置変更による前記第１の支持腕部及び前記第２の指示腕部の回動により、前記第１の係止部と前記第２の係止部が、各々対応する前記第１の係止受け部と前記第２の係止受け部に係止されることを特徴とする請求項７又は請求項８に記載の落下防止装置。
【請求項１０】
前記第１の係止受け部は、前記第１の突軸部の軸方向と平行な他方向へ傾斜する第１の傾斜部と前記第１の傾斜部の頂上近傍に設けられた第１の突起部とを有し、前記第１の係止部は、前記第１の傾斜部で摺動する第１の摺動部と前記第１の突起部が係止される第１の突起受け部とを有し、
前記第２の係止受け部は、前記第２の突軸部の軸方向と平行な他方向へ傾斜する第２の傾斜部と前記第２の傾斜部の頂上近傍に設けられた第２の突起部とを有し、前記第２の係止部は、前記第２の傾斜部で摺動する第２の摺動部と前記第２の突起部が係止される第２の突起受け部とを有し、
前記第１の摺動部と前記第２の摺動部が、対応する前記第１の支持腕部と前記第２の支持腕部の回動に伴い、対応する前記第１の傾斜部と前記第２の傾斜部を摺動することにより、前記第１の支持腕部と前記第２の支持腕部が、前記規制手段に抗して、前記第１の突軸部と前記第２の突軸部の軸方向と平行な他方向の側へ移動することで、前記第１の突起受け部と前記第２の突起受け部が対応する前記第１の突起部と前記第２の突起部へ係止されることを特徴とする請求項９に記載の落下防止装置。
【発明の詳細な説明】
【技術分野】
【０００１】  本発明は、地震等により什器、本棚等の収納棚が振動しても収納棚の棚板に載置された物品の落下や飛び出しを防止する落下防止装置に関する。
【背景技術】
【０００２】  従来、地震や意図しない何らかの物品の衝突等における振動、揺れ及び傾きで収納棚の棚板に載置された物品の落下や飛び出しを防止する装置が種々提案されている。【０００３】  たとえば、特許文献１に開示される落下防止装置は、略中央部から下部にかけて長孔状にのびる軸支孔と、略中央部から上部に向かい、上端が開口した溝状の支持部とを備える、キャビネットの左右両側板の内面前側に取り付けられる一対のベース部材と、左右両側片と水平片とを有する略コ字形の部材であり、左右両側片の中程より下側が内側に略コ字形に折れ曲がり、折曲部が形成され、この折曲部の外側方に向かう先端部においてベース部材の軸支孔に軸支される、キャビネットの前方を上下に回動する落下防止バーとを備えている。
【先行技術文献】
【特許文献】
【０００４】
【特許文献１】  特開２００６−０８７７０９号公報
【発明の概要】
【発明が解決しようとする課題】
【０００５】  しかしながら、特許文献１に開示される落下防止装置は、落下防止バーの左右両側片の中程より下側で内側に折れ曲がった略コ字形の折曲部の先端部が、ベース部材の軸支孔に軸支されてキャビネットの前方を上下に回動する構成のため、重量の大きい物品の落下防止のために落下防止バーを太くすると上下の回動に支障がでるという課題があった。
【課題を解決するための手段】
【０００６】  この発明の目的は、上述した事情に鑑みなされたもので、この発明の主たる目的は、物品の落下および飛び出しを防止する部材が重量の大きい物品であっても確実に落下の防止が可能な落下防止装置を提供することである。【０００７】  上述した課題を解決し、目的を達成するため、この発明に係わる落下防止装置は、請求項１の記載によれば、複数の支柱と、該複数の支柱間に架け渡される棚板とからなる収納棚の収納開口に配置される落下防止装置であって、前記収納開口を横断する落下防止位置と前記収納開口を全面的に開放する退避位置とに位置変更可能な落下防止杆と、前記落下防止杆が架け渡される、回動可能な一方の支持腕部と他方の支持腕部と、前記支柱に着脱可能に取り付けられる一方の取付具と他方の取付具と、を具備し、前記一方の支持腕部と前記他方の支持腕部とは、各々、椀部と、その軸方向と平行な一方向の側へ向かって突設される突軸部と、前記突軸部から所定距離離間した位置に設けられる係止部、とを備え、前記一方の取付具と前記他方の取付具とは、各々、基部と、前記基部に立設され、前記突軸部が挿通される一方の軸受け部と他方の軸受け部と、前記軸受け部から所定距離離間した位置に立設される係止受け部と、を備え、前記一方の支持腕部は、前記腕部が前記一方の取付具の前記一方の軸受け部と前記他方の軸受け部との間に配置され、前記突軸部が該他方の軸受け部に前記突軸部の軸方向と平行な一方向の側へ向かって回動可能に挿通され、前記他方の支持腕部は、前記突軸部が前記他方の取付具の前記一方の軸受け部に一方向の側へ向かって回動可能に挿通され、前記落下防止杆の退避位置から落下防止位置への位置変更による前記支持腕部の回動により、前記係止部が前記係止受け部に係止されることを特徴とする。【０００８】  また、この発明に係わる落下防止装置は、請求項２の記載によれば、前記一方の取付具は、該一方の取付具の前記一方の軸受け部と前記他方の軸受け部との間にコイルバネを備え、前記一方の支持椀部が該コイルバネにより前記突軸部の軸方向と平行な一方向の側へ付勢されていることを特徴とする。【０００９】  また、この発明に係わる落下防止装置は、請求項３の記載によれば、前記一方の取付具と前記他方の取付具とに各々立設される前記係止受け部は、前記突軸部の軸方向と平行な他方向へ傾斜する傾斜部と該傾斜部の頂上近傍に設けられた突起部とを有し、前記一方の支持腕部と前記他方の支持腕部とに各々設けられる係止部は、前記傾斜部で摺動する摺動部と前記突起部が係止される突起受け部とを有し、前記摺動部が前記一方の支持腕部と前記他方の支持腕部の回動に伴い前記傾斜部を摺動することにより、前記一方の支持腕部が、前記コイルバネの付勢力に抗して、前記突軸部の軸方向と平行な他方向の側へ移動することで、前記突起受け部が前記突起部へ係止されることを特徴とする。【００１０】  また、この発明に係わる落下防止装置は、請求項４の記載によれば、前記一方の取付具は、前記係止受け部とは別の係止受け具をさらに備えると共に、前記一方の支持腕部とは別の支持椀部をさらに備えることを特徴とする。【００１１】  また、この発明に係わる落下防止装置は、請求項５の記載によれば、前記一方の取付具は、前記係止部が前記係止受け部に係止されている状態で、前記一方の支持腕部を前記支柱から離間する方向へ付勢する外れ防止具を備えることを特徴とする。【００１２】  また、この発明に係わる落下防止装置は、請求項６の記載によれば、複数の支柱と、該複数の支柱間に架け渡される棚板とからなる収納棚の収納開口に配置される落下防止装置であって、前記収納開口を横断する落下防止位置と前記収納開口を全面的に開放する退避位置とに位置変更可能な落下防止杆と、前記落下防止杆が架け渡される、回動可能な第１の支持腕部と第２の支持腕部と、前記支柱に着脱可能に取り付けられる第１の取付具と第２の取付具と、を具備することを特徴とする落下防止装置。【００１３】  また、この発明に係わる落下防止装置は、請求項７の記載によれば、前記第１の支持腕部は、第１の腕部と、前記第１の腕部の一方面となる面に対して垂直であって、その軸方向と平行な一方向の側に向かって突設される第１の突軸部とを備え、前記第２の支持腕部は、第２の腕部と、前記第２の腕部の一方面となる面に対して垂直であって、その軸方向と平行な一方向の側に向かって突設される第２の突軸部とを備え、前記第１の取付具は、第１の基部と、前記第１の基部に立設され、前記第１の突軸部が挿通される第１の挿入穴を有する第１の軸受け部とを備え、前記第２の取付具は、第２の基部と、前記第２の基部に立設され、前記第２の突軸部が挿通される第２の挿入穴を有する第２の軸受け部とを備え、前記第１の腕部と前記第２の腕部が対応する前記第１の軸受け部と前記第２の軸受け部に対して同じ側に配置され、前記第１の突軸部と前記第２の突軸部が対応する前記第１の挿入穴と前記第２の挿入穴へ挿通され、前記第１の支持腕部と前記第２の支持腕部が前記第１の突軸部と前記第２の突軸部の軸中心に回動可能かつ軸方向と平行な他方向の側に移動可能である、ことを特徴とする。【００１４】  また、この発明に係わる落下防止装置は、請求項８の記載によれば、前記第１の突軸部と前記第２の突軸部のいずれか一方または両方に、前記第１の支持腕部と前記第２の支持腕部が前記第１の突軸部と前記第２の突軸部の軸方向での移動を規制する規制手段を備えることを特徴とする。【００１５】  また、この発明に係わる落下防止装置は、請求項９の記載によれば、前記第１の支持腕部は、前記第１の突軸部から所定距離離間した位置に設けられる第１の係止部をさらに備え、前記第２の支持腕部は、前記第２の突軸部から所定距離離間した位置に設けられる第２の係止部をさらに備え、前記第１の取付具は、前記第１の軸受け部から所定距離離間した位置に立設される第１の係止受け部をさらに備え、前記第２の取付具は、前記第２の軸受け部から所定距離離間した位置に立設される第２の係止受け部をさらに備え、前記落下防止杆の退避位置から落下防止位置への位置変更による前記第１の支持腕部及び前記第２の指示腕部の回動により、前記第１の係止部と前記第２の係止部が、各々対応する前記第１の係止受け部と前記第２の係止受け部に係止されることを特徴とする。【００１６】  また、この発明に係わる落下防止装置は、請求項１０の記載によれば、前記第１の係止受け部は、前記第１の��軸部の軸方向と平行な他方向へ傾斜する第１の傾斜部と前記第１の傾斜部の頂上近傍に設けられた第１の突起部とを有し、前記第１の係止部は、前記第１の傾斜部で摺動する第１の摺動部と前記第１の突起部が係止される第１の突起受け部とを有し、前記第２の係止受け部は、前記第２の突軸部の軸方向と平行な他方向へ傾斜する第２の傾斜部と前記第２の傾斜部の頂上近傍に設けられた第２の突起部とを有し、前記第２の係止部は、前記第２の傾斜部で摺動する第２の摺動部と前記第２の突起部が係止される第２の突起受け部とを有し、前記第１の摺動部と前記第２の摺動部が、対応する前記第１の支持腕部と前記第２の支持腕部の回動に伴い、対応する前記第１の傾斜部と前記第２の傾斜部を摺動することにより、前記第１の支持腕部と前記第２の支持腕部が、前記規制手段に抗して、前記第１の突軸部と前記第２の突軸部の軸方向と平行な他方向の側へ移動することで、前記第１の突起受け部と前記第２の突起受け部が対応する前記第１の突起部と前記第２の突起部へ係止されることを特徴とする。
【発明の効果】
【００１７】  この発明によれば、物品の落下および飛び出しを防止する部材が、重量の大きい物品であっても確実に落下の防止が可能な落下防止装置を提供することができる。【００１８】  また、この発明により、一対の支柱と上下２枚の棚板とからなる収納棚の収納開口に対して、これを横断する落下防止位置と収納開口を全面的に開放する退避位置とに容易に位置変更可能な落下防止杆を具備する落下防止装置を提供することができる。
【図面の簡単な説明】
【００１９】
【図１】  収納開口を横断する落下防止位置となっている落下防止装置の斜視図
【図２】  収納開口を全面的に開放する退避位置となっている落下防止装置の斜視図
【図３】  一方の取付具と一方の支持腕部を示す斜視拡大図
【図４】  他方の取付具と他方の支持腕部を示す斜視拡大図
【図５】  取付具の正面図
【図６】  取付具の側面図
【図７】  取付具の上面図
【図８】  支持腕部の正面図
【図９】  支持腕部の側面図
【図１０】  支持腕部の上面図
【図１１】  落下防止装置の変形例１
【図１２】  外れ防止具を備えた落下防止装置のの変形例２の斜視拡大図
【図１３】  落下防止装置の変形例３の正面図
【図１４】  落下防止装置の変形例３の側面図
【図１５】  落下防止装置の変形例３の上面図
【図１６】  落下防止装置の変形例３の正面図
【図１７】  落下防止装置の変形例３の側面図
【発明を実施するための形態】
【実施例】
【００２０】  以下に図面を用いて本発明の実施例を説明する。なお、この実施例において、収納棚は工場や事務所または一般家庭でも使用されている組み立て式の収納棚としているが、これに限定される物ではなく、本棚や什器等の支柱等の棚側壁と棚板とからなる収納開口を有する収納棚であれば、本発明の落下防止装置が適用可能である。【００２１】  最初に図１乃至図１０を用いて、本発明の落下防止装置１０を説明する。図１は、落下防止杆７０が収納開口８６を横断する落下防止位置となっている落下防止装置１０の斜視図である。図２は、収納開口８６を全面的に開放する退避位置となっている落下防止装置１０の斜視図である。図３は、一方の取付具２０ａと一方の支持腕部４０ａを示す斜視拡大図である。図４は、他方の取付具２０ｂと他方の支持腕部４０ｂを示す斜視拡大図である。図５は取付具２０ａ、２０ｂの正面図、図６は取付具２０ａ、２０ｂの側面図、図７は取付具２０ａ、２０ｂの上面図である。図８は支持腕部４０ａ、４０ｂの正面図、図９は支持腕部４０ａ、４０ｂの側面図、図１０は支持腕部４０ａ、４０ｂの上面図である。【００２２】  図１及び図２は、本発明の落下物防止装置１０が取り付けられた収納棚８０が示されている。この収納棚８０は、例えば、鋼材製のアングル材や角パイプ材等からなり、収納棚が設置される床面に立設される４本の支柱８２ａ、８２ｂ、８２ｃ、８２ｄと、例えば、鋼板や木材等からなり、これらの支柱に任意の上下間隔をもって架け渡されて各種物品が載置される５枚の棚板８４ａ、８４ｂ、８４ｃ、８４ｄ、８４ｅとから構成されている。【００２３】  また、収納棚８０の収納棚へ物品を出し入れする側の前側支柱８２ａ、８２ｂと収納棚８４ｂ、８４ｃとで囲まれる収納開口８６には、本発明の落下物防止装置１０が配置される。【００２４】  この本発明の落下物防止装置１０は、図１に示す収納開口８６を横断する落下防止位置と、図２に示す収納開口８６を全面的に開放する退避位置とに位置変更可能な左右方向（棚板８４ｃ等と平行な方向）に横長の落下防止杆７０と、落下防止杆７０が架け渡される回動可能な一方の支持腕部４０ａと他方の支持腕部４０ｂと、前側支柱８２ａに着脱可能に取り付けられる一方の取付具２０ａと前側支柱８２ｂに着脱可能に取り付けられる他方の取付具２０ｂと、を具備している。【００２５】  また、落下防止杆７０は、例えば板状細長金属板を丸めて円柱状とした金属棒や該金属棒の表面にスポンジ等の緩衝材を巻き付けた横長の棒状部材であり、その両端が一方の支持腕部４０ａと他方の支持腕部４０ｂとに各々溶接や螺合等で固定されている。【００２６】  また、一方の取付具２０ａと他方の取付具２０ｂは同一の形状となっているので、図５乃至図７では正面図、側面図、上面図を一方の取付具２０ａとして説明するが、他方の取付具２０ｂの説明を兼ねている。【００２７】  一方の取付具２０ａと他方の取付具２０ｂは本発明の落下物防止装置１０を収納棚８０に配置するための取付具で、一方の取付具２０ａは収納開口８６の前側支柱８２ａに、他方の取付具２０ｂは収納開口８６の前側支柱８２ｂに各々着脱可能に取り付けられている。【００２８】  また、取付具２０ａ、２０ｂは、図３乃至図７に示すように、金属板を屈曲して形成されたものであり、収納開口８６が開口した側を前面として、前側支柱８２ａ、８２ｂの前面に一方の面が重ね合わされる略矩形で板状の基部２２と、基部２２の一方の一組の辺に連続し、前側支柱８２ａ、８２ｂの両側面（前側支柱８２ａ、８２ｂの前面に垂直な２つの面）に重ね合わされる板状の一対の着脱部２４と、基部２２の他方の面の側に立設され、後に説明する突軸部を挿入する一方の挿入穴２５ａを有する一方の軸受け部２６ａと、基部２２の他方の面の側に立設され、突軸部を挿入する他方の挿入穴２５ｂを有する他方の軸受け部２６ｂと、一方の軸受け部２６ａから所定距離離間した位置となる他方の一組の辺の一辺近傍に立設される一方の係止受け部３０ａと、他方の軸受け部２６ｂから所定距離離間した位置となる他方の一組の辺の一辺近傍に立設される他方の係止受け部３０ｂとを備えている。【００２９】  なお、一方の挿入穴２５ａと他方の挿入穴２５ｂは略円形であり、これらの穴の中心を結ぶ線は、落下防止杆７０の軸方向と平行となっている。【００３０】  なお、ここで説明する実施の形態においては、図３に示すとおり、一方の取付具２０ａでは、一方の係止受け部３０ａを使用していない。また、図４に示すとおり、他方の取付具２０ｂでは、他方の挿入穴２５ｂ、他方の軸受け部２６ｂ及び他方の係止受け部３０ｂを使用していない。【００３１】  また、一対の着脱部２４は、棚板８４ｃ等を支柱８２ａ、８２ｂ、８２ｃ、８２ｄに架け渡す際に棚板と連結するために設けられた複数の棚板取付部８３に係合する係合部２４ａを有している。なお、一方の取付具２０ａの支柱８２ａへの取り付けは、基部２２と一対の着脱部２４で構成される略コの字の内側に支柱８２ａを嵌め込んで、該略コの字の内側へ向かって折り曲げられた係合部２４ａを棚板取付部８３へ係合させることで行われる。また、一方の取付具２０ａの支柱８２ａからの取り外しは、係合部２４ａと棚板取付部８３との係合を解除することで行う。なお、この一方の取付具２０ａの支柱８２ａへの取り付けは、この方法に限定されるものではなく、例えば一対の着脱部２４を直接ネジ等で支柱８２ａに取り付ける方法等、様々な方法が適用可能である。【００３２】  また、一方の取付具２０ａは、該一方の取付具２０ａの一方の軸受け部２６ａと他方の軸受け部２６ｂとの間にコイルバネ２８を備えている。また、コイルバネ２８は、一方の腕部４２ａの他方面となる面の側に突出した突部４７ａと、一方の取付具２０ａに立設される一方の軸受け部２６ａから突出した軸受け突出部２７とで支持されており、このコイルバネ２８により、一方の支持腕部４０ａは一方の突軸部４６ａの軸方向と平行な一方向（図３における紙面左斜め上側）の側へ付勢されている。【００３３】  なお、軸受け突出部２７は、図５乃至図７の一方の取付具２０ａでは省略されている。これは、前述の通り、図５乃至図７は、一方の取付具２０ａと他方の取付具２０ｂの説明を兼ねており、一方の取付具２０ａと他方の取付具２０ｂの同一の形状部分のみを図示しているためで、実際には、一方の取付具２０ａには、図３で示すように、軸受け突出部２７が一方の軸受け部２６ａ��ら一方の突軸部４６ａの軸方向と平行な一方向の側へ突出するように設けられている。【００３４】  また、突部４７ａと軸受け突出部２７は、コイルバネ２８を支持するために同軸となるように配置されている。なお、後に改めて説明するが、突部４７ａの先端部と軸受け突出部２７の先端部の間には、一方の支持腕部４０ａが一方の突軸部４６ａの軸方向と平行な他方向の側（図３の紙面右斜め下側）へ移動しても、先端部同士がぶつからないように隙間が設けられている。【００３５】  さらに、一方の係止受け部３０ａと他方の係止受け部３０ｂは、その先端の側を始点とし、一方の係止受け部３０ａと他方の係止受け部３０ｂの基部２２の側を終点とすると共に、一方の突軸部４６ａの軸方向と平行な他方向（図３における紙面右斜め下側）の側へ向かって傾斜する一方の傾斜部３２ａと他方の傾斜部３２ｂと、該傾斜部３２ａ、３２ｂの頂上近傍に設けられた一方の突起部３４ａと他方の突起部３４ｂとを有している。なお、一方の傾斜部３２ａと他方の傾斜部３２ｂの頂点とは、該傾斜部が一方の係止受け部３０ａと他方の係止受け部３０ｂの各々の先端の側を始点とし、該係止受け部３０ａ、３０ｂの基部２２の側を終点とする傾斜であるので、その傾斜が終了する箇所を頂点と称した。【００３６】  また、一方の支持腕部４０ａと他方の支持腕部４０ｂは同一の形状となっているので、図８乃至図１０では正面図、側面図、上面図を一方の支持腕部４０ａとして説明するが、他方の支持椀部４０ｂの説明を兼ねている。【００３７】  一方の支持腕部４０ａと他方の支持腕部４０ｂは落下防止杆７０が架け渡される回動可能な支持腕部で、一方の支持腕部４０ａの一方の突軸部４６ａを軸中心とした回動、及び他方の支持腕部４０ｂの他方の突軸部４６ｂを軸中心とした回動により、落下防止杆７０が退避位置と落下防止位置との間で位置変更可能となっている。【００３８】  また、一方の支持椀部４０ａと他方の支持椀部４０ｂは、図８乃至図１０に示すように、金属板を屈曲して形成されたものであり、落下防止杆７０の軸方向に対して垂直な面に平行に配置される板状の一方の腕部４２ａと他方の腕部４２ｂと、落下防止杆７０を支持する一方の落下防止杆受け部４４ａと他方の落下防止杆受け部４４ｂと、一方の腕部４２ａと他方の腕部４２ｂの一方面となる面に対して垂直であって、その軸方向と平行（即ち、落下防止杆７０の軸方向に対して平行）な一方向の側へ向かって突設される一方の突軸部４６ａと他方の突軸部４６ｂと、該突軸部４６ａ、４６ｂに連続して一方の腕部４２ａと他方の椀部４２ｂの他方面の側に突出する突部４７ａ、４７ｂと、一方の突軸部４６ａと他方の突軸部４６ｂから所定距離離間した位置に設けられる一方の係止部５０ａと他方の係止部５０ｂ係止部とを備えている。【００３９】  なお、本発明の落下防止装置１０においては、一方の腕部４２ａと他方の腕部４２ｂの強度を増すために、該腕部４２ａ、４２ｂに垂直な方向に連続する板状の第１の補強部４３ａ、４３ｂと、一方の腕部４２ａと他方の腕部４２ｂに平行な方向であって、第１の補強部４３ａ、４３ｂに垂直な方向に連続する板状の第２の補強板４５ａ、４５ｂとが設けられている。なお、第２の補��板４５ａ、４５ｂにも落下防止杆７０を支持する落下防止杆受け部が設けられている。【００４０】  また、一方の係止部５０ａと他方の係止部５０ｂは、一方の支持腕部４０ａと他方の支持腕部４０ｂが一方の突軸部４６ａ及び他方の突軸部４６ｂを軸中心として回動した際に、該支持腕部４０ａ、４０ｂの基部２２に向かい合う側に、一方の傾斜部３２ａと他方の傾斜部３２ｂの傾斜と略平行な傾斜が付けられ、該傾斜部３２ａ、３２ｂで摺動する一方の摺動部５２ａと他方の摺動部５２ｂと、該摺動部５２ａ、５２ｂの終点近傍に設けられ、一方の突起部３４ａと他方の突起部３４ｂが嵌め合わされて係止される一方の突起受け部５４ａと他方の突起受け部５４ｂとを有している。なお、該摺動部５２ａ、５２ｂの終点とは、一方の支持腕部４０ａと他方の支持腕部４０ｂが一方の突軸部４６ａ及び他方の突軸部４６ｂを軸中心として回動し、落下防止杆７０の退避位置から落下防止位置へ位置変更が完了して一方の係止部５０ａと他方の係止部５０ｂが各々一方の係止受け部３０ａと他方の係止受け部３０ｂに係止されるように、該摺動部の傾斜部との摺動が終了する箇所を終点と称した。【００４１】  また、本発明の落下防止装置１０では、図３に示すとおり、一方の腕部４２ａは、一方の軸受け部２６ａと他方の軸受け部２６ｂとの間に配置されて、一方の突軸部４６ａが他方の軸受け部２６ｂの他方の挿入穴２５ｂに、一方の突軸部４６ａの軸方向と平行な一方向の側へ向かって挿入（挿通）されている。また、この一方の支持腕部４０ａは、一方の突軸部４６ａが他方の挿入穴２５ｂに挿入（挿通）された状態で、該突軸部４６ａを軸中心として回動可能である。【００４２】  また、図４に示すとおり、他方の支持腕部４０ｂは、他方の取付具２０ｂにおける一方の軸受け部２６ａの他方の軸受け部２６ｂと反対の面の側（即ち、他方の腕部４２ｂの一方面となる他方の突軸部４６ｂが設けられた面が他方の取付具２０ｂの一方の軸受け部２６ａに面する側）に配置されて、他方の突軸部４６ｂが他方の取付具２０ｂの一方の軸受け部２６ａに設けられた一方の挿入穴２５ａに、他方の突軸部４６ｂの軸方向と平行な一方向の側（即ち、一方の突軸部４６ａの軸方向と平行な一方向の側）へ向かって挿入（挿通）されている。また、この他方の支持腕部４０ｂは、他方の突軸部４６ｂが一方の挿入穴２５ａに挿入（挿通）された状態で、該突軸部４６ｂを軸中心として回動可能である。【００４３】  上記にて説明した本発明の落下防止装置１０を使用して、棚板８４ｃに載置された物品を自由に取り出すことができる落下防止杆７０の退避位置から、該物品が地震等による収納棚８０の振動を受けても落下や飛び出しを防止できる落下防止杆７０の落下防止位置への位置変更について説明する。【００４４】  各種物品を棚板８４ｃに載置したり、棚板８４ｃに載置された各種物品を自由に取り出したりする場合には、落下防止杆７０は、図２の収納開口８６が全面的に開放される退避位置となっている。【００４５】  この状態で落下防止杆７０を手等で手前側に引き上げると、一方の支持腕部４０ａと他方の支持腕部４０ｂが落下防止杆７０に従動し、一方の突軸部４６ａ及び他方の突軸部４６ｂを軸中心と��て回動する。そして、このまま一方の支持腕部４０ａの一方の摺動部５２ａが一方の取付具２０ａの他方の傾斜部３２ｂへ当接し、また、他方の支持腕部４０ｂの他方の摺動部５２ｂが他方の取付具２０ｂの一方の傾斜部３２ａへ当接するまで回動させる。【００４６】  この一方の摺動部５２ａの他方の傾斜部３２ｂへの当接の時点では、一方の支持椀部４０ａはコイルバネ２８による一方の突軸部４６ａの軸方向と平行な一方向の側（図３の紙面左斜め上側）へ付勢されている。なお、この際、他方の支持椀部４０ｂにはバネ等が配置されていないので、該支持椀部４０ｂへの直接の付勢力はない。【００４７】  この状態から、さらに落下防止杆７０を回動させると、一方の摺動部５２ａは一方の支持腕部４０ａの回動に伴い、一方の取付具２０ａの他方の傾斜部３２ｂを摺動する。また同様に、他方の支持腕部４０ｂの側でも他方の摺動部５２ｂが他方の取付具２０ｂの一方の傾斜部３２ａを摺動する。【００４８】  なお、一方の支持腕部４０ａは、一方の突軸部４６ａが、一方の取付具２０ａに立設される他方の軸受け部２６ｂの他方の挿入穴２５ｂ内を、一方の突軸部４６ａの軸方向と平行な方向で移動可能となっている。また、同様に、他方の支持腕部４０ｂは、他方の突軸部４６ｂが、他方の取付具２０ｂに立設される一方の軸受け部２６ａの一方の挿入穴２５ａ内を、他方の突軸部４６ｂの軸方向と平行な方向で移動可能となっている。【００４９】  この結果、一方の支持腕部４０ａは、コイルバネ２８の付勢力に抗して、一方の突軸部４６ａの軸方向と平行な他方向の側（図３の紙面右斜め下側）へ移動することになる。また、他方の支持椀部４０ｂも落下防止杆７０で一方の支持腕部４０ａに接続されているため、該他方向の側へ移動する。【００５０】  なお、一方の支持腕部４０ａの一方の突軸部４６ａの軸方向と平行な他方向の側への移動によって、一方の突軸部４６ａが他方の挿入穴２５ｂから抜け出ないように一方の突軸部４６ａの軸方向長さが規定されている。同様に、他方の支持椀部４０ｂも該他方向の側への移動によって、他方の突軸部４６ｂが一方の挿入穴２５ａから抜け出ないように他方の突軸部４６ｂの軸方向長さが規定されている。【００５１】  また、一方の支持腕部４０ａの一方の突軸部４６ａの軸方向と平行な他方向の側への移動によって、一方の突軸部４６ａに連続して一方の腕部４２ａの他方面の側に突出する突部４７ａも該他方向の側への移動する。この際、突部４７ａの先端部が軸受け突出部２７の先端部とぶつからないようにするための隙間が設けられるように、軸受け突出部２７の軸方向長さが規定されている。【００５２】  この後、一方の摺動部５２ａの終点が他方の傾斜部３２ｂの頂点を通過し、他方の突起部３４ｂが一方の突起受け部５４ａに嵌め合わされる。同様に、他方の摺動部５２ｂの終点が一方の傾斜部３２ａの頂点を通過し、一方の突起部３４ａが他方の突起受け部５４ｂに嵌め合わされる。この結果、一方の係止部５０ａと他方の係止部５０ｂが、各々他方の係止受け部３０ｂと一方の係止受け部３０ａに係止され、落下防止杆７０の落下防止位置への位置変更が完了する。【００５３】  次に、一方の係止部５０ａと他方の係止部５０ｂの���方の係止受け部３０ｂと一方の係止受け部３０ａへの係止を解除し、落下防止杆７０を収納開口８６を横断する落下防止位置から収納開口８６を全面的に開放する退避位置への移動の方法を説明する。【００５４】  各種物品が地震等による収納棚８０の振動を受けても落下や飛び出しを防止できる落下防止位置へ係止された落下防止杆７０を、手等により収納開口８６の方向に向かって押圧する。【００５５】  この時点では、一方の支持椀部４０ａはコイルバネ２８による一方の突軸部４６ａの軸方向と平行な一方向の側（図３の紙面左斜め上側）へ付勢されているので、落下防止杆７０をこの付勢力に抗して一方の突軸部４６ａの軸方向と平行な他方向の側（図３の紙面右斜め下側）へ力を加える。この結果、他方の突起部３４ｂの一方の突起受け部５４ａへの嵌め合わせが解除されると共に、一方の突起部３４ａの他方の突起受け部５４ｂへの嵌め合わせが解除されるので、落下防止杆７０を手前側に引く、または、そのまま手を離せば、一方の支持腕部４０ａと他方の支持腕部４０ｂが落下防止杆７０に従動し、突軸部を軸中心として回動し、落下防止杆７０は収納開口８６を全面的に開放する退避位置へ移動する。【００５６】  以上のように、本発明の転落防止装置１０は、落下防止杆７０の退避位置から落下防止位置への位置変更、及び落下防止位置から退避位置への位置変更は非常に容易であり、片手でも位置変更可能となっている。【００５７】  また、一方の係止部５０ａ及び他方の係止部５０ｂと、他方の係止受け部３０ｂ及び一方の係止受け部３０ａとの係止は、他方の突起部３４ｂの一方の突起受け部５４ａへの嵌め合わせと、一方の突起部３４ａの他方の突起受け部５４ｂへの嵌め合わせで実現されており、容易にはその係止状態が解除されることはない。【００５８】  さらに、本発明の転落防止装置１０では、物品の落下および飛び出しを防止する落下防止杆７０は、落下防止杆７０を回動させるための一方の支持腕部４０ａや他方の支持腕部４０ｂとは別部材となっているため、重量の大きい物品に合わせて落下防止杆７０を頑丈なものとすることが可能である。【００５９】  さらにまた、落下防止杆７０の位置変更の容易さは、他方の突起部３４ｂの一方の突起受け部５４ａへの嵌め合わせと一方の突起部３４ａの他方の突起受け部５４ｂへの嵌め合わせや、コイルバネ２８に依存している。このため、落下防止杆７０を頑丈なものとしても、落下防止杆７０の位置変更の容易さが損なわれることはない。【００６０】  ＜変形例１＞
本発明の落下防止装置１０が適用される収納棚８０は、組み立て式の収納棚と説明したが、図１の収納棚８０の紙面右側に、図示しない別の新たな支柱２本を床面に立設し、支柱８２ａ、８２ｃと、該別の支柱２本との間に図示しない別の新たな複数の棚板を架け渡すことで、横方向に６本の支柱で連続した収納棚とすることが可能な収納棚が存在する。【００６１】  このような、横方向に複数の支柱で連続した収納棚の棚板に載置された物品の転落防止に、本発明の落下防止装置１０が適用可能であることを以下に説明する。なお、同じ構成の箇所には同一の符号を付して説明を省略する。【００６２】  変形例１の落下防止装置１０は、図１の収納棚８０の前側支柱８２ｂには図１、図４に示す他方の取付具２０ｂと他方の支持腕部４０ｂとを配置し、新たに図１の収納棚８０の右側に立設した前面支柱には、図１、図３に示す一方の取付具２０ａと一方の支持腕部４０ａとを配置し、図１の収納棚８０の前側支柱８２ａには、図１１に示すものを配置する。【００６３】  具体的には、一方の取付具２０ａの他方の軸受け部２６ｂの側に一方の支持腕部４０ａを配置し、一方の取付具２０ａの一方の軸受け部２６ａの側に一方の支持腕部４０ｂを配置する（支持腕部４０ａ、４０ｂは同一の形状なので両方一方の支持腕部４０ａとしても良いが、説明の便宜上、上記の通りとする）。なお、他方の軸受け部２６ｂの側に配置する一方の支持腕部４０ａは、一方の腕部４２ａの一方の突軸部４６ａを他方の軸受け部２６ｂの他方の挿入穴２５ｂへ該突軸部４６ａの軸方向と平行な一方向（図１１の紙面右側から左側に向けた方向）となるように挿入（挿通）し、また、一方の軸受け部２６ａの側に配置する他方の支持腕部４０ｂは、他方の腕部４２ｂの他方の突軸部４６ｂを一方の軸受け部２６ａの一方の挿入穴２５ａへ該突軸部４６ｂの軸方向と平行な一方向（同様に、図１１の紙面右側から左側に向けた方向）となるように挿入（挿通）するように配置する。【００６４】  なお、コイルバネ２８は、一方の腕部４２ａの他方面となる面の側に突出した突部４７ａと、軸受け突出部２７の代わりとなる他方の腕部４２ｂの他方の突軸部４６ｂとで支持されており、このコイルバネ２８により、一方の支持腕部４０ａは一方の突軸部４６ａの軸方向と平行な一方向（図１１における紙面左側）の側へ付勢されている。なお、このコイルバネ２８は、一方の軸受け部２６ａがあるため、他方の支持腕部４０ｂを付勢することはない。【００６５】  また、突部４７ａの先端部と他方の突軸部４６ｂの先端部の間には、一方の支持腕部４０ａが一方の突軸部４６ａの軸方向と平行な他方向の側（図１１の紙面右側）へ移動しても、先端部同士がぶつからないように隙間が設けられている。【００６６】  なお、一方の支持腕部４０ａの一方の突軸部４６ａの軸方向と平行な他方向の側への移動によって、一方の突軸部４６ａが他方の挿入穴２５ｂから抜け出ないように一方の突軸部４６ａの軸方向長さが規定されている。【００６７】  また、他方の支持椀部４０ｂも該他方向の側への移動によって、他方の突軸部４６ｂが一方の挿入穴２５ａから抜け出ないようにすると共に、一方の支持腕部４０ａの該他方向の側への移動によって���一方の腕部４２ａの他方面の側に突出する突部４７ａの先端部が、他方の突軸部４６ｂの先端部とぶつからないようにするための隙間が設けられるように、他方の突軸部４６ｂの軸方向長さが規定されている。【００６８】  以上のように、本発明の落下防止具１０は、変形例１のとおり、容易に横方向へ連結可能となっている。【００６９】  ＜変形例２＞
本発明の落下防止装置１０は、一方の係止部５０ａと他方の係止受け部３０ｂとの係止をより強固なものとするために、外れ防止具３６をさらに備える構成とすることが可能である。【００７０】  図１２は、外れ防止具３６をさらに備えた落下防止装置１０の斜視拡大図を示す図である。なお、上述した落下防止具１０と同じ構成の箇所には同一の符号を付して説明を省略する。【００７１】  この変形例２の落下防止装置１０は、一方の取付具２０ａの基部２２と、一方の支持腕部４０ａとの間に、板バネ状の外れ防止具３６が備えられている。この外れ防止具３６は、一方の係止部５０ａと他方の係止受け部３０ｂとの係止をより強固とするために、一方の支持腕部４０ａを支柱８２ａから離間する方向へ付勢している。【００７２】  このような外れ防止具３６により、本発明の落下防止具１０は、その係止状態がより強固となる。【００７３】  ＜変形例３＞
本発明の落下防止装置１０について、基本的構成を変更することなく構造を簡素化することが可能である。【００７４】  図１３乃至図１７は、基本的かつ必須の構造のみで構成された本発明の変形例の落下防止装置１００を示す図である。なお、上述した落下防止具１０と同じ構成の箇所には同一の符号を付して説明を省略する。【００７５】  図１３は、落下防止杆７０が収納開口８６を横断する落下防止位置となっている落下防止装置１００の正面図である。図１４は、図１３の紙面右側から見た落下防止装置１００の側面図である。図１５は、図１３の紙面右側から見た落下防止装置１００の上面図である。図１６は、収納開口８６を全面的に開放する退避位置となっている落下防止装置１００の正面図である。図１７は、図１６の紙面右側から見た落下防止装置１００の側面図である。【００７６】  なお、図１３乃至図１７において、落下物防止装置１００が取り付けられた収納棚８０の４本の支柱のうち、支柱８２ａと８２ｂのみが図示されている。また、収納棚８０の複数の棚板のうち、棚板８４ｃのみが示されている。【００７７】  また、落下物防止装置１００は、収納棚８０の収納棚へ物品を出し入れする側の前側支柱８２ａ、８２ｂと収納棚８４ｃと、図示しない収納棚８４ｂとで囲まれる収納開口８６に配置されている。【００７８】  この落下物防止装置１００は、図１３乃至図１５に示す収納開口８６を横断する落下防止位置と、図１６及び図１７に示す収納開口８６を全面的に開放する退避位置とに位置変更可能な左右方向（棚板８４ｃ等と平行な方向）に横長の落下防止杆７０と、落下防止杆７０が架け渡される回動可能な一方の支持腕部としての第１の支持腕部１４０ａと他方の支持腕部としての第２の支持腕部１４０ｂと、前側支柱８２ａに着脱可能に取り付けられる一方の取付具としての第１の取付具１２０ａと前側支柱８２ｂに着脱可能に取り付けられる他方の取付具としての第２の取付具１２０ｂと、を具備している。【００７９】  また、落下防止杆７０は、その両端が第１の支持腕部１４０ａと第２の支持腕部１４０ｂとに各々溶接や螺合等で固定されている。さらに、第１の取付具１２０ａと第２の取付具１２０ｂは構造に若干の違いはあるが、その基本的構成は同じであり、上述した落下防止装置１０での一方の取付具２０ａと他方の取付具２０ｂの基本的構成と概略同じとなっている。【００８０】  具体的には、第１の取付具１２０ａと第２の取付具１２０ｂは、落下物防止装置１００を収納棚８０に配置するための取付具として、第１の取付具１２０ａは収納開口８６の前側支柱８２ａに、第２の取付具１２０ｂは収納開口８６の前側支柱８２ｂに各々着脱可能に取り付けられている。【００８１】  なお、第１の取付具１２０ａと第２の取付具１２０ｂは、図１５で示されるとおり、その構造（形状）に若干の違いはある。しかしながら、収納開口８６が開口した側を前面として、前側支柱８２ａ、８２ｂの前面に一方の面が重ね合わされる略矩形で板状の基部としての、第１の取付具１２０ａの第１の基部１２２ａと第２の取付具１２０ｂの第２の基部１２２ｂは、その他方の面の側に突軸部を挿入する挿入穴を有する軸受け部と、軸受け部から所定距離離間した位置に��けられる係止受け部と、を備える点で同じ構成となっている。【００８２】  具体的には、第１の基部１２２ａは、その他方の面の側に立設され、第１の突軸部１４６ａを挿入（挿通）する第１の挿入穴１２５ａを有する第１の軸受け部１２６ａと、第１の基部１２２ａの他方の面の側に立設され、第１の軸受け部１２６ａから所定距離離間した位置であり、第１の軸受け部１２６ａを中心として回動する第１の腕部１４２ａの回動位置に立設される第１の係止受け部１３０ａと、を備えている。同様に、第２の基部１２２ｂは、その他方の面の側に立設され、第２の突軸部１４６ｂを挿入（挿通）する第２の挿入穴１２５ｂを有する第２の軸受け部１２６ｂと、第２の基部１２２ｂの他方の面の側に立設され、第２の軸受け部１２６ｂから所定距離離間した位置であり、第２の軸受け部１２６ｂを中心として回動する第２の腕部１４２ｂの回動位置に立設される第２の係止受け部１３０ｂと、を備えている。【００８３】  なお、第１の基部１２２ａの支柱８２ａへの取り付け及び第２の基部１２２ｂの支柱８２ｂへの取り付けは、各々の基部の一方の一組の辺に連続し、前側支柱８２ａ、８２ｂの両側面（前側支柱８２ａ、８２ｂの前面に垂直な２つの面）に重ね合わされる板状の一対の着脱部を設けて取り付けても良いし、また、各々の基部を直接ネジ等で支柱８２ａ、８２ｂへ取り付ける方法等で取り付けても良い。【００８４】  また、第１の軸受け部１２６ａは、落下防止杆７０の軸方向に垂直な面に平行となるように、第１の基部１２２ａの他方の面の側に立設されている。また、第１の挿入穴１２５ａは、その穴の軸方向が落下防止杆７０の軸方向と平行になるように第１の軸受け部１２６ａへ設けられている。同様に、第２の軸受け部１２６ｂは、落下防止杆７０の軸方向に垂直な面に平行となるように、第２の基部１２２ｂの他方の面の側に立設されている。また、第２の挿入穴１２５ｂは、その穴の軸方向が落下防止杆７０の軸方向と平行になるように第２の軸受け部１２６ｂへ設けられている。なお、後にも改めて説明するが、落下防止装置１００において、第１の突軸部１４６ａの第１の軸受け部１２６ａへの挿入（挿通）の方向と、第２の突軸部１４６ｂの第２の軸受け部１２６ｂへの挿入（挿通）の方向は同一であり、これを突軸部の軸方向と平行な一方向（図１３における紙面左側への方向）とする。【００８５】  なお、第１の挿入穴１２５ａと第２の挿入穴１２５ｂは各々略円形であり、これらの穴の中心を結ぶ線は、同軸線上となっていると共に、落下防止杆７０の軸方向と平行となっている。【００８６】  また、第１の係止受け部１３０ａは、その先端の側を始点とし、第１の係止受け部１３０ａの第１の基部１２２ａの側を終点とすると共に、第１の突軸部１４６ａの軸方向と平行な他方向（即ち、落下防止杆７０の軸方向に平行な方向であり、突軸部の軸方向と平行な一方向と反対の方向となる図１３における紙面右側への方向）の側へ向かって傾斜する第１の傾斜部１３２ａと、第１の傾斜部１３２ａの頂上近傍に設けられた第１の突起部１３４ａとを有している。同様に、第２の係止受け部１３０ｂは、その先端の側を始点とし、第２の係止受け部１３０ｂの第２の基部１２２ｂの���を終点とすると共に、第２の突軸部１４６ｂの軸方向と平行な他方向（図１３における紙面右側への方向）の側へ向かって傾斜する第２の傾斜部１３２ｂと、第２の傾斜部１３２ｂの頂上近傍に設けられた第２の突起部１３４ｂとを有している。【００８７】  なお、第１の傾斜部１３２ａと第２の傾斜部１３２ｂの頂点とは、該傾斜部が第１の係止受け部１３０ａと第２の係止受け部１３０ｂの各々の先端の側を始点とし、該係止受け部１３０ａ、１３０ｂの基部１２２ａ、１２２ｂの側を終点とする傾斜であるので、その傾斜が終了する箇所を頂点と称した。【００８８】  なお、上述の通り、ここで説明する落下防止装置１００においては、前述した落下防止装置１０と異なり、本発明の落下防止装置の基本的構成を変更することなく構造を簡素化するために、各々の基部に設けられる軸受け部と係止受け部は１個ずつとなっている。【００８９】  第１の支持腕部１４０ａと第２の支持腕部１４０ｂは、落下防止杆７０が架け渡される回動可能な支持腕部であり、第１の支持腕部１４０ａの第１の突軸部１４６ａを軸中心とした回動、及び第２の支持腕部１４０ｂの第２の突軸部１４６ｂを軸中心とした回動により、落下防止杆７０が退避位置と落下防止位置との間で位置変更可能となっている。【００９０】  また、第１の支持腕部１４０ａは、落下防止杆７０の軸方向に対して垂直な面に平行に配置される板状の第１の腕部１４２ａと、落下防止杆７０を支持する第１の落下防止杆受け部１４４ａと、第１の腕部１４２ａの一方面となる面に対して垂直であって、その軸方向と平行（即ち、落下防止杆７０の軸方向に対して平行）な一方向の側へ向かって突設される第１の突軸部１４６ａと、第１の突軸部１４６ａから所定距離離間した位置に設けられ、第１の係止受け部１３０ａを係止する第１の係止部１５０ａとを備えている。【００９１】  同様に、第２の支持腕部１４０ｂは、落下防止杆７０の軸方向に対して垂直な面に平行に配置される板状の第２の腕部１４２ｂと、落下防止杆７０を支持する第２の落下防止杆受け部１４４ｂと、第２の腕部１４２ｂの一方面となる面に対して垂直であって、その軸方向と平行な一方向の側へ向かって突設される第２の突軸部１４６ｂと、第２の突軸部１４６ｂから所定距離離間した位置に設けられ、第２の係止受け部１３０ｂを係止する第２の係止部１５０ｂとを備えている。【００９２】  なお、落下防止装置１００においては、第１の腕部１４２ａと第２の腕部１４２ｂの強度を増すために、該腕部１４２ａ、１４２ｂに垂直な方向に連続する板状の第１の補強部１４３ａ及び第２の補強部１４３ｂが設けられている。【００９３】  また、第１の係止部１５０ａは、第１の支持腕部１４０ａが第１の突軸部１４６ａを軸中心として回動した際に、該支持腕部１４０ａの第１の基部１２２ａに向かい合う側に、第１の傾斜部１３２ａと略平行な傾斜が付けられ、該傾斜部１３２ａで摺動する第１の摺動部１５２ａと、該摺動部１５２ａの終点近傍に設けられ、第１の突起部１３４ａが嵌め合わされて係止される第１の突起受け部１５４ａとを有している。【００９４】  同様に、第２の係止部１５０ｂは、第２の支持腕部１４０ｂが第２の突軸部１４６ｂを軸中心として回動した際に、該支持腕部１４０ｂの第２の基部１２２ｂに向かい合う側に、第２の傾斜部１３２ｂと略平行な傾斜が付けられ、該傾斜部１３２ｂで摺動する第２の摺動部１５２ｂと、該摺動部１５２ｂの終点近傍に設けられ、第２の突起部１３４ｂが嵌め合わされて係止される第２の突起受け部１５４ｂとを有している。【００９５】  なお、第１の摺動部１５２ａ及び第２の摺動部１５２ｂの終点とは、第１の支持腕部１４０ａと第２の支持腕部２４０ｂが、各々第１の突軸部１４６ａ及び第２の突軸部１４６ｂを軸中心として回動し、落下防止杆７０の退避位置から落下防止位置へ位置変更が完了して第１の係止部１５０ａと第２の係止部１５０ｂが各々第１の係止受け部１３０ａと第２の係止受け部１３０ｂに係止されるように、該摺動部の傾斜部との摺動が終了する箇所を終点と称した。【００９６】  なお、落下防止装置１００において、第１の腕部１４２ａの一方面となる面（即ち、第１の突軸部１４６ａが立設されている面）が第１の軸受け部２６ａに面している。同様に、第２の腕部１４２ｂの一方面となる面（即ち、第２の突軸部１４６ｂが立設されている面）が第２の軸受け部２６ｂに面している。このように、本発明の落下防止装置は、落下防止装置１０でも落下防止装置１００であっても、２個の腕部は、各々の軸受け部に対して同じ側に配置されることが特徴となっている。また、その同じ側とは、２個の腕部に各々設けられた突軸部が立設される側となっている。【００９７】  また、落下防止装置１００において、２個の支持腕部に対して付勢力を与えるコイルバネ１２８は、第２の突軸部１４６ｂを第２の挿入穴１２５ｂに挿入（挿通）させて、第２の腕部１４２ｂの一方面となる面を第２の軸受け部１２６ｂに面させた結果、第２の挿入穴１２５ｂ（即ち、第２の軸受け部１２６ｂ）から突出する第２の突軸部１４６ｂに配置される。また、このコイルバネ１２８の軸方向の長さは、第２の軸受け部１２６ｂから突出する第２の突軸部１４６ｂの軸方向の長さより長く規定されている。このコイルバネ１２８の第２の突軸部１４６ｂへの固定は、例えば第２の突軸部１４６ｂの先端部近傍に設けられたネジ山に螺合するナットや、先端部に第２の突軸部１４６ｂの軸径より大きい留め具等のバネ固定具１２９で行う。この結果、コイルバネ１２８の付勢力は、第２の突軸部１４６ｂの軸方向と平行な一方向（図１３における紙面左側への方向）となり、第２の腕部１４２ｂの一方面となる面を第２の軸受け部１２６ｂへ押し付ける方向に作用する。【００９８】  なお、上記の説明では、コイルバネ１２８を第２の突軸部１４６ｂへ設けるように説明したが、第１の突軸部１４６ａに設けるように構成してもよいし、また、両方の突軸部に設ける構成としても良い。また、コイルバネを用いるとしたが、板バネや電磁コイル等の付勢力を与えることが出来るものであれば、どのような物を利用しても良いし、また、どのような構成としても良い。即ち、重要な基本的構成は、２個の腕部が各々の軸受け部に対して同じ側に配置されることで２個の指示腕部が突軸部の軸方向に移動可能となっていることと、コイルバネ等が２個の腕部を各々の軸受け部に押し付ける方向に付勢すること、即ち、２個の���持腕部の突軸部の軸方向での移動を規制することである。この結果として、落下防止杆７０が架け渡された２個の支持腕部が各々の突軸部を軸中心として回動可能であると共に、２個の支持腕部が各々の突軸部の軸方向の一方方向（他方向）に移動可能となっており、さらに、コイルバネの付勢力で２個の支持腕部が各々対応する取付具に係止された状態が維持可能となっている。【００９９】  上記にて説明した落下防止装置１００を使用して、棚板８４ｃに載置された物品を自由に取り出すことができる落下防止杆７０の退避位置から、該物品が地震等による収納棚８０の振動を受けても落下や飛び出しを防止できる落下防止杆７０の落下防止位置への位置変更について説明する。【０１００】  各種物品を棚板８４ｃに載置したり、棚板８４ｃに載置された各種物品を自由に取り出したりする場合には、落下防止杆７０は、図１６及び図１７の収納開口８６が全面的に開放される退避位置となっている。【０１０１】  この状態で落下防止杆７０を手等で手前側に引き上げると、第１の支持腕部１４０ａと第２の支持腕部１４０ｂが落下防止杆７０に従動し、第１の突軸部１４６ａ及び第２の突軸部１４６ｂを軸中心として回動する。そして、このまま第１の支持腕部１４０ａの第１の摺動部１５２ａが第１の取付具１２０ａの第１の傾斜部１３２ａへ当接し、また、第２の支持腕部１４０ｂの第２の摺動部１５２ｂが第２の取付具１２０ｂの第２の傾斜部１３２ｂへ当接するまで回動させる。【０１０２】  この第１の摺動部１５２ａの第１の傾斜部１３２ａへの当接（第２の摺動部１５２ｂの第２の傾斜部１３２ｂへの当接）の時点では、第１の支持椀部１４０ａ及び第２の支持腕部１４０ｂは、コイルバネ１２８により第２の突軸部１４６ｂの軸方向と平行な一方向の側（図１６の紙面左側）へ付勢されている。【０１０３】  この状態から、さらに落下防止杆７０を回動させると、第１の摺動部１５２ａは第１の支持腕部１４０ａの回動に伴い、第１の傾斜部１３２ａを摺動する。また、同様に、第２の支持腕部１４０ｂの側でも第２の摺動部１５２ｂは第２の傾斜部１３２ｂを摺動する。【０１０４】  なお、上述の通り、２個の支持腕部に立設された各々の突軸部は、該突軸部が挿通された各々の挿入穴内を、突軸部の軸方向と平行な方向で移動可能となっている。この結果、２個の摺動部が各々に対応する傾斜部を摺動することにより、２個の支持腕部は、コイルバネ１２８の付勢力に抗して、突軸部の軸方向と平行な他方向の側（図１６の紙面右側）へ移動することになる。【０１０５】  また、２個の摺動部が各々に対応する傾斜部を摺動することによる、第１の突軸部１４６ａの軸方向と平行な他方向の側への移動によって、第１の突軸部１４６ａが挿通されている第１の挿入穴１２５ａから抜け出ないように第１の突軸部１４６ａの軸方向長さが規定されている。なお、第２の突軸部１４６ｂは、その先端部近傍に設けられたネジ山に螺合されたナットや、先端部に設けた留め具等のバネ固定具１２９により、第２の挿入穴１２５ｂから抜け出ることはない。【０１０６】  この後、第１の摺動部１５２ａの終点が第１の傾斜部１３２ａの頂点を通過し、第１の突起部１３４ａが第１の突起受け部１５４ａに嵌め合わされる。同様に、第２の摺動部１５２ｂの終点が第２の傾斜部１３２ｂの頂点を通過し、第２の突起部１３４ｂが第２の突起受け部１５４ｂに嵌め合わされる。この結果、第１の係止部１５０ａが第１の係止受け部１３０ａに係止されると共に、第２の係止部１５０ｂが、第２の係止受け部１３０ｂに係止され、落下防止杆７０の落下防止位置への位置変更が完了する。【０１０７】  次に、２個の係止部と該２個の係止部に対応する係止受け部との係止を解除し、落下防止杆７０を収納開口８６を横断する落下防止位置から収納開口８６を全面的に開放する退避位置への移動の方法を説明する。【０１０８】  各種物品が地震等による収納棚８０の振動を受けても落下や飛び出しを防止できる落下防止位置へ係止された落下防止杆７０を、手等により収納開口８６の方向に向かって押圧する。【０１０９】  この時点では、第１の支持椀部１４０ａ及び第２の支持腕部１４０ｂは、コイルバネ１２８により各々の突軸部の軸方向と平行な一方向の側（図１３の紙面左側）へ付勢されているので、落下防止杆７０をこの付勢力に抗して突軸部の軸方向と平行な他方向の側（図１３の紙面右側）へ力を加える。この結果、２個の突起部と、該突起部が各々対応する突起受け部との嵌め合わせが解除されるので、落下防止杆７０を手前側に引く、または、そのまま手を離せば、２個の支持腕部が落下防止杆７０に従動し、突軸部を軸中心として回動し、落下防止杆７０は収納開口８６を全面的に開放する退避位置へ移動する。【０１１０】  以上のように、転落防止装置１００は、落下防止杆７０の退避位置から落下防止位置への位置変更、及び落下防止位置から退避位置への位置変更は非常に容易であり、片手でも位置変更可能となっている。また、２個の係止部と、該係止部に対応する係止受け部との係止は、２個の突起部と、該突起部に対応する突起受け部との嵌め合わせで実現されており、容易にはその係止状態が解除されることはない。【０１１１】  さらに、転落防止装置１００では、物品の落下および飛び出しを防止する落下防止杆７０は、落下防止杆７０を回動させるための２個の支持腕部とは別部材となっているため、重量の大きい物品に合わせて落下防止杆７０を頑丈なものとすることが容易である。【０１１２】  さらにまた、落下防止杆７０の位置変更の容易さは、２個の突起部と、該突起部に対応する突起受け部との嵌め合わせや、コイルバネに依存している。このため、落下防止杆７０を頑丈なものとしても、落下防止杆７０の位置変更の容易さが損なわれることはない。【０１１３】  またさらに、変形例３で説明した転落防止装置１００は、落下防止装置１０の基本的構成を変更することなく構造を簡素化することが可能であることを示している。具体的には、落下防止装置１０や転落防止装置１００は、２個の腕部が各々の軸受け部に対して同じ側（２個の腕部に各々設けられた突軸部が立設される側）に配置されることで、２個の腕部（即ち２個の支持腕部）が突軸部の軸方向に移動可能となる構成と、コイルバネ等による付勢力が２個の腕部を各々の軸受け部に押し付ける方向に付勢することで、２個の支持腕部の突軸部の軸方向の移動を規制する構成を備えており、この結果として、上記の���果を得ることが可能となっている。
【符号の説明】
【０１１４】１０・・・落下防止装置、２０ａ・・・一方の取付具、２０ｂ・・・他方の取付具、２２・・・基部、２４・・・一対の着脱部、２４ａ・・・係合部、２５ａ・・・一方の挿入穴、２５ｂ・・・他方の挿入穴、２６ａ・・・一方の軸受け部、２６ｂ・・・他方の軸受け部、２７・・・軸受け突出部、２８・・・コイルバネ、３０ａ・・・一方の係止受け部、３０ｂ・・・他方の係止受け部、３２ａ・・・一方の傾斜部、３２ｂ・・・他方の傾斜部、３４ａ・・・一方の突起部、３４ｂ・・・他方の突起部、３６・・・外れ防止具３６、４０ａ・・・一方の支持腕部、４０ｂ・・・他方の支持腕部、４２ａ・・・一方の腕部、４２ｂ・・・他方の腕部、４３ａ、４３ｂ・・・第１の補強部、４４ａ・・・一方の落下防止杆受け部、４４ｂ・・・他方の落下防止杆受け部、４５ａ、４５ｂ・・・第２の補強板、４６ａ・・・一方の突軸部、４６ｂ・・・他方の突軸部、４７ａ、４７ｂ・・・突部、５０ａ・・・一方の係止部、５０ｂ・・・他方の係止部、５２ａ・・・一方の摺動部、５２ｂ・・・他方の摺動部、５４ａ・・・一方の突起受け部、５４ｂ・・・他方の突起受け部、７０・・・落下防止杆、８０・・・収納棚、８２ａ、８２ｂ、８２ｃ、８２ｄ・・・支柱、８３・・・棚板取付部、８４ａ、８４ｂ、８４ｃ、８４ｄ、８４ｅ・・・棚板、８６・・・収納開口、１２０ａ・・第１の取付具、１２０ｂ・・第２の取付具、１２２ａ・・第１の基部、１２２ｂ・・第２の基部、１２５ａ・・第１の挿入穴、１２５ｂ・・第２の挿入穴、１２６ａ・・第１の軸受け部、１２６ｂ・・第２の軸受け部、１２８・・コイルバネ、１２９・・バネ固定具、１３０ａ・・第１の係止受け部、１３０ｂ・・第２の係止受け部、１３２ａ・・第１の傾斜部、１３２ｂ・・第２の傾斜部、１３４ａ・・第１の突起部、１３４ｂ・・第２の突起部、１４０ａ・・第１の支持腕部、１４０ｂ・・第２の支持腕部、１４２ａ・・第１の腕部、１４２ｂ・・第２の腕部、１４３ａ・・第１の補強部、１４３ｂ・・第２の補強部、１４４ａ・・第１の落下防止杆受け部、１４４ｂ・・第２の落下防止杆受け部、１４６ａ・・第１の突軸部、１４６ｂ・・第２の突軸部、１５０ａ・・第１の係止部、１５０ｂ・・第２の係止部、１５２ａ・・第１の摺動部、１５２ｂ・・第２の摺動部、１５４ａ・・第１の突起受け部、１５４ｂ・・第２の突起受け部
【図１】
2011115579.tif 000003
【図２】
2011115579.tif 000004
【図３】
2011115579.tif 000005
【図４】
2011115579.tif 000006
【図５】
2011115579.tif 000007
【図６】
2011115579.tif 000008
【図７】
2011115579.tif 000009
【図８】
2011115579.tif 000010
【図９】
2011115579.tif 000011
【図１０】
2011115579.tif 000012
【図１１】
2011115579.tif 000013
【図１２】
2011115579.tif 000014
【図１３】
2011115579.tif 000015
【図１４】
2011115579.tif 000016
【図１５】
2011115579.tif 000017
【図１６】
2011115579.tif 000018
【図１７】
2011115579.tif 000019